(57)【特許請求の範囲】
【請求項１】
外圧式中空糸膜モジュールを用いて、懸濁物質を含み、濁度が５０度以上の被処理水のろ過処理を行うろ過工程の後、前記外圧式中空糸膜モジュールへの前記被処理水の送液を停止させて、前記外圧式中空糸膜モジュールの一次側のみから気体のみを導入して中空糸膜を洗浄する工程を含む気体洗浄工程を行い、その後、前記ろ過工程に戻る、第１のサイクルと、
前記ろ過工程を行った後、前記ろ過工程で得られた処理水の少なくとも一部を前記外圧式中空糸膜モジュールの二次側から導入して前記中空糸膜を洗浄する逆洗工程を行い、その後、前記ろ過工程に戻る、第２のサイクルと、
を含み、
前記第１のサイクルを複数回行った後、前記第２のサイクルを行うことを特徴とする膜の洗浄方法。
【請求項２】
請求項１に記載の膜の洗浄方法であって、
前記気体洗浄工程を行うタイミングを、被処理水について予め求めた前記ろ過工程における膜間差圧上昇速度と、許容膜間差圧上昇値とに基づいて決定することを特徴とする膜の洗浄方法。
【請求項３】
請求項２に記載の膜の洗浄方法であって、
前記膜間差圧上昇速度を、下記式（１）に基づいて決定することを特徴とする膜の洗浄方法。
膜間差圧上昇速度＝（被処理水が膜面に形成されたケーキを通過する際の、単位ケーキ量あたりの抵抗）×（被処理水の粘度）×（被処理水のＳＳ濃度）×（被処理水のろ過流束）２    （１）
【請求項４】
請求項３に記載の膜の洗浄方法であって、
前記単位ケーキ量あたりの抵抗αを、定圧ろ過試験における下記に示すルースのろ過式に基づいて決定することを特徴とする膜の洗浄方法。
抵抗α［ｍ／ｇ］＝ろ過定数Ｋ［ｓ／ｍ２］×ろ過抵抗［Ｐａ］／（被処理水の粘度［Ｐａ・ｓ］×ＳＳ濃度［ｇ／ｍ３］）
【請求項５】
請求項３または４に記載の膜の洗浄方法であって、
前記被処理水のＳＳ濃度を、前記被処理水の濁度に基づいて決定することを特徴とする膜の洗浄方法。
【請求項６】
請求項１〜５のいずれか１項に記載の膜の洗浄方法であって、
前記ろ過工程の前に前記被処理水に凝集剤を添加する凝集処理を行うことを特徴とする膜の洗浄方法。
【発明の詳細な説明】
【技術分野】
【０００１】
本発明は、外圧式中空糸膜モジュールの膜の洗浄方法に関する。
【背景技術】
【０００２】
中空糸膜モジュールを用いたろ過方式のうち、中空糸膜の外表面から内側へろ過する方式を外圧式ろ過という。外圧式ろ過では、安定的に運転するために、通常、定期的に物理洗浄が実施される。具体的には、膜の処理水を使用して二次側（処理水側）から一次側（原水（被処理水）側）へと通水する逆洗や、膜の一次側に気体を導入して膜を振動させることにより膜面の懸濁物質等を剥離する空気洗浄等がある。
【０００３】
例えば、特許文献１には、空気洗浄を行う工程と逆洗と同時に空気洗浄を行う工程とを組み合わせて、多数本のろ過膜で構成される膜モジュールの洗浄を行うことが記載されている。
【０００４】
また、特許文献２には、膜モジュール内における一次側の水を系外に排出した後に、逆洗を行い、一次側を水で満たしてから空気洗浄を行う工程と一次側に水を供給しながら空気洗浄を行う工程とのいずれかを行い、膜モジュール内における一次側の水を系外に排出する洗浄方法が記載されている。
【０００５】
上記のような逆洗や、逆洗と空気洗浄との組み合わせは膜表面の懸濁物質の除去に有効な手法であるが、逆洗では膜の処理水を用いた洗浄を行うため、頻繁に逆洗を行うほど被処理水供給量に対して得られる処理水量の比（回収率）が低下する。一方で、逆洗の頻度を少なくしたり、空気洗浄のみでは、膜表面に懸濁物質が堆積して、その除去が困難となり、安定運転の妨げとなる。
【先行技術文献】
【特許文献】
【０００６】
【特許文献１】特許第４６９８２７４号公報
【特許文献２】特許第４９６８４１３号公報
【発明の概要】
【発明が解決しようとする課題】
【０００７】
本発明の目的は、外圧式中空糸膜モジュールを用いるろ過処理において、処理水の回収率の低下を抑制するとともに、安定運転を行うことができる膜の洗浄方法を提供することにある。
【課題を解決するための手段】
【０００８】
本発明は、外圧式中空糸膜モジュールを用いて、懸濁物質を含み、濁度が５０度以上の被処理水のろ過処理を行うろ過工程の後、前記外圧式中空糸膜モジュールへの前記被処理水の送液を停止させて、前記外圧式中空糸膜モジュールの一次側のみから気体のみを導入して中空糸膜を洗浄する工程を含む気体洗浄工程を行い、その後、前記ろ過工程に戻る、第１のサイクルと、前記ろ過工程を行った後、前記ろ過工程で得られた処理水の少なくとも一部を前記外圧式中空糸膜モジュールの二次側から導入して前記中空糸膜を洗浄する逆洗工程を行い、その後、前記ろ過工程に戻る、第２のサイクルと、を含み、前記第１のサイクルを複数回行った後、前記第２のサイクルを行う膜の洗浄方法である。
【０００９】
前記膜の洗浄方法において、前記気体洗浄工程を行うタイミングを、被処理水について予め求めた前記ろ過工程における膜間差圧上昇速度と、許容膜間差圧上昇値とに基づいて決定することが好ましい。
【００１０】
前記膜の洗浄方法において、前記膜間差圧上昇速度を、下記式（１）に基づいて決定することが好ましい。
膜間差圧上昇速度＝（被処理水が膜面に形成されたケーキを通過する際の、単位ケーキ量あたりの抵抗）×（被処理水の粘度）×（被処理水のＳＳ濃度）×（被処理水のろ過流束）２    （１）
【００１１】
前記膜の洗浄方法において、前記単位ケーキ量あたりの抵抗αを、定圧ろ過試験における下記に示すルースのろ過式に基づいて決定することが好ましい。
抵抗α［ｍ／ｇ］＝ろ過定数Ｋ［ｓ／ｍ２］×ろ過抵抗［Ｐａ］／（被処理水の粘度［Ｐａ・ｓ］×ＳＳ濃度［ｇ／ｍ３］）
【００１２】
前記膜の洗浄方法において、前記被処理水のＳＳ濃度を、前記被処理水の濁度に基づいて決定することが好ましい。
【００１４】
前記膜の洗浄方法において、前記ろ過工程の前に前記被処理水に凝集剤を添加する凝集処理を行うことが好ましい。
【発明の効果】
【００１５】
本発明では、外圧式中空糸膜モジュールを用いるろ過処理において、処理水の回収率の低下を抑制するとともに、安定運転を行うことができる膜の洗浄方法を提供することができる。
【図面の簡単な説明】
【００１６】
【図１】本発明の実施形態に係る膜の洗浄方法を適用する、外圧式中空糸膜モジュールを用いるろ過処理装置の一例を示す概略構成図である。
【図２】実施例および比較例で用いた実験装置を示す概略構成図である。
【図３】実験１の比較例１における通水結果を示す図である。
【図４】実験１の実施例１における通水結果を示す図である。
【図５】図４の通水時間０から１０時間までを拡大した図である。
【図６】実験２における通水結果を示す図である。
【図７】実験３における通水結果を示す図である。
【図８】実験４における通水結果を示す図である。
【図９】原水ＳＳと空気洗浄（ＡＳ）運転時ろ過時間と回収率の関係（２．０ｍ／ｄ）を示す図である。
【図１０】実験５における原水ＳＳと空気洗浄（ＡＳ）運転時ろ過時間と回収率の関係（２．０ｍ／ｄ）を示す図である。
【図１１】実験５における通水結果を示す図である。
【図１２】実験６における原水ＳＳと空気洗浄（ＡＳ）運転時ろ過時間と回収率の関係（２．０ｍ／ｄ）を示す図である。
【図１３】実験６における通水結果を示す図である。
【発明を実施するための形態】
【００１７】
本発明の実施の形態について以下説明する。本実施形態は本発明を実施する一例であって、本発明は本実施形態に限定されるものではない。
【００１８】
本発明の実施形態に係る膜の洗浄方法を適用する、外圧式中空糸膜モジュールを用いるろ過処理装置の一例の概略を図１に示し、その構成について説明する。ろ過処理装置５０は、原水槽５２と、凝集槽５４と、膜モジュール５６と、処理水槽５８と、を備える。
【００１９】
図１のろ過処理装置５０において、原水槽５２の入口には、原水配管６８が接続されている。原水槽５２の出口と凝集槽５４の入口とは、ポンプ６２を介して原水供給配管７０により接続されている。凝集槽５４の出口と膜モジュール５６の一次側被処理水入口とは、ポンプ６４を介して凝集処理水配管７２により接続されている。膜モジュール５６の二次側出口と処理水槽５８の入口とは、ろ過処理水配管７４により接続されている。処理水槽５８の処理水出口には、処理水配管７６が接続されている。処理水槽５８の逆洗水出口とろ過処理水配管７４とは、ポンプ６６を介して逆洗水配管７８により接続されている。膜モジュール５６の一次側気体入口には、気体供給手段としてのコンプレッサ６０が気体供給配管８０により接続されている。膜モジュール５６の一次側上部排水口には上部排水管８８が接続され、一次側下部排水口には下部排水管８６が接続されている。気体供給配管８０から分岐した気体供給配管９０が上部排水管８８に接続されている。凝集槽５４には、凝集剤供給配管８２およびｐＨ調整剤供給配管８４が接続されている。
【００２０】
本実施形態に係るろ過処理装置５０の動作および膜の洗浄方法について説明する。
【００２１】
懸濁物質（ＳＳ成分）等を含む原水は、原水配管６８を通して必要に応じて原水槽５２に貯留される。原水は、ポンプ６２によって原水供給配管７０を通して必要に応じて凝集槽５４に送液され、凝集槽５４において、凝集剤およびｐＨ調整剤が供給され、凝集処理が行われる（凝集処理工程）。
【００２２】
凝集処理された凝集処理水は、ポンプ６４によって凝集処理水配管７２を通して外圧式中空糸膜を備える膜モジュール５６の一次側（原水（被処理水）側）に送液される。膜モジュール５６において中空糸膜によりろ過処理が行われ、被処理水（凝集処理水）は中空糸膜の外表面から内側へろ過される（ろ過工程）。
【００２３】
ろ過処理されたろ過処理水は、ろ過処理水配管７４を通して処理水槽５８へ送液され、貯留される。ろ過処理水の少なくとも一部は、処理水として処理水配管７６を通して排出される。ろ過処理水の少なくとも一部は、逆洗水として後述する逆洗処理に用いられてもよい。
【００２４】
膜モジュール５６における膜間差圧が上昇し、膜の洗浄が必要になった場合、例えば、後述するように、被処理水について予め求めた膜間差圧上昇速度と、ろ過工程における許容膜間差圧上昇値とに基づいて決定したタイミングで、気体洗浄が行われる。具体的には、ポンプ６４による膜モジュール５６への被処理水（凝集処理水）の送液が停止された後、コンプレッサ６０が稼働され、空気等の気体が気体供給配管８０を通して膜モジュール５６の一次側気体入口から供給され、気体により中空糸を振動させることによって中空糸膜が洗浄される（気体洗浄工程）。
【００２５】
ろ過工程と、上記タイミングで実施する気体洗浄工程を繰り返して、処理水を得ればよい（ろ過工程→気体洗浄工程→ろ過工程→・・・）。
【００２６】
そして、ろ過工程と気体洗浄工程の第１のサイクルを複数回行った後、逆洗処理を行う。具体的には、ポンプ６４により膜モジュール５６への被処理水（凝集処理水）の送液が停止された後、ポンプ６６が稼働され、処理水が逆洗水配管７８を通して膜モジュール５６の二次側から供給され、膜モジュール５６の下部排水管８６から排水される（逆洗工程）。
【００２７】
このように、外圧式中空糸膜モジュールの洗浄方法において、気体洗浄のみによる懸濁物質等の除去を複数回繰り返した後、逆洗水による洗浄を行うことによって、処理水の回収率の低下を抑制させることができるとともに、安定運転を行うことができる。
【００２８】
本実施形態に係る膜の洗浄方法を適用するろ過処理装置の処理対象である原水は、例えば、河川水、湖沼水等である。特に、濁度が５０度以上の高濁度の原水（以下、「高濁度原水」と呼ぶ場合がある）に好適に適用され、濁度が３００度以上１０００度以下の高濁度の原水により好適に適用される。
【００２９】
高濁度原水の場合、特に濁度３００度以上の高濁度原水の場合は、原水中の懸濁物質等の量が多くなるため、安定運転するためのろ過時間が短くなる傾向にある。従来の方法のようにろ過工程の後に逆洗工程を毎回行うと、処理水の回収率が低下する。高濁度原水では懸濁物質等が増加するが、気体洗浄によって膜表面に堆積した全てまたは大部分を除去することができるため、実質的に気体洗浄のみによって対応することができる。これに加えて、必要に応じて逆洗工程を行うことで、逆洗に使用する処理水量を削減し、回収率の低下を抑制することができる。
【００３０】
膜モジュール５６において用いられる中空糸膜は、例えば、ポリフッ化ビニリデン（ＰＶＤＦ）製等のＵＦ膜である。中空糸膜の孔径は、例えば、０．００１μｍ〜０．００３μｍの範囲、分画分子量では数千〜数十万Ｄａの範囲であり、膜面積は、例えば、２０ｍ２〜８０ｍ２の範囲である。
【００３１】
気体洗浄工程で用いられる気体は、特に制限はないが、空気等が挙げられ、コスト等の点から、通常は、空気である。
【００３２】
気体洗浄工程で用いられる気体供給手段としては、特に制限はないが、例えば、コンプレッサ、ブロワ等が挙げられる。
【００３３】
［ろ過時間の決め方］
ここで、本実施形態に係る膜の洗浄方法において、気体洗浄運転時のろ過時間は、例えば、被処理水について予め求めた、ろ過工程における膜間差圧が上昇する速度を示す膜間差圧上昇速度と、予め決めた、どこまでの膜間差圧の上昇を許容するかを示す許容膜間差圧上昇値とに基づいて決定することができる。懸濁物質（ＳＳ成分）等を含む原水のろ過、特に例えば濁度が５０度以上の高濁度の原水のろ過はＳＳが高いため、膜の細孔内部のファウリングと比較して膜面のケーキ形成が支配的となる。膜面に形成されたケーキのろ過抵抗は、下記式（＊１）で示したとおり、比抵抗α、被処理水の粘度、膜面の単位面積あたりのケーキ量およびろ過流束の積で表すことができる。
ケーキのろ過抵抗［Ｐａ］＝比抵抗α［ｍ／ｇ］×被処理水の粘度［Ｐａ・ｓ］×単位面積あたりのケーキ量［ｇ／ｍ２］×ろ過流束［ｍ／ｓ］・・・（＊１）
【００３４】
ここで、比抵抗αは、被処理水が膜面に形成されたケーキを通過する際の、単位ケーキ量あたりの抵抗である。また、単位面積あたりのケーキ量は、下記式（＊２）で示したとおり、被処理水のＳＳ濃度と流量と時間の積を膜面積で除することで算出することができる。
単位面積あたりのケーキ量［ｇ／ｍ２］＝被処理水のＳＳ濃度［ｇ／ｍ３］×流量［ｍ３／ｓ］×時間［ｓ］／膜面積［ｍ２］・・・（＊２）
【００３５】
上記式（＊１）と上記式（＊２）とから、下記式（＊３）を得ることができる。
膜間差圧上昇速度＝ケーキのろ過抵抗［Ｐａ］／時間［ｓ］＝比抵抗α［ｍ／ｇ］×被処理水の粘度［Ｐａ・ｓ］×被処理水のＳＳ濃度［ｇ／ｍ３］×（被処理水のろ過流束）２［ｍ２／ｓ２］・・・（＊３）
【００３６】
すなわち、比抵抗αがわかれば、膜間差圧上昇速度を求めることができ、上述のとおり、予め設定した許容膜間差圧上昇値と膜間差圧上昇速度とによりろ過時間を算出することができる。
【００３７】
［実機での運転について］
（ａ）実機では原水濁度を測定することが多いが、濁度成分の性状によっては濁度／ＳＳ比は異なる。そこで、原水をサンプリングして濁度とＳＳを測定する。
（濁度／ＳＳ比）［度／（ｍｇ／Ｌ）］＝原水濁度［度］／原水ＳＳ濃度［ｍｇ／Ｌ］
→  原水濁度［度］＝原水ＳＳ濃度［ｍｇ／Ｌ］×（濁度／ＳＳ比）［度／（ｍｇ／Ｌ）］
【００３８】
よって、濁度／ＳＳ比を求めることで、原水濁度を測定して、原水ＳＳ濃度を求めることができる。
【００３９】
（ｂ）ケーキのろ過抵抗α［ｍ／ｍｇ］は実機に通水して、測定することもできるが、ラボ試験で簡易的に測定することができる。例えば、定圧ろ過試験を行い、ろ過速度の経時変化を測定する。単位膜面積あたりのろ過速度［ｍ３／ｍ２／ｓ］の逆数［ｓ／ｍ］を単位膜面積あたりのろ液量［ｍ３／ｍ２］に対してプロットする。ルース（Ｒｕｔｈ）のろ過式より、プロットした傾きからケーキのろ過比抵抗α［ｍ／ｍｇ］を算出することができる。すなわち、比抵抗α［ｍ／ｍｇ］は式（＊４）で算出することができる。なお、Ｋ［ｓ／ｍ２］は、ろ過定数である。
比抵抗α［ｍ／ｇ］＝Ｋ［ｓ／ｍ２］×ろ過抵抗［Ｐａ］／（被処理水の粘度［Ｐａ・ｓ］×ＳＳ濃度［ｇ／ｍ３］）・・・（＊４）
【００４０】
（ｃ）式（＊３）より、原水濁度に応じて膜間差圧上昇速度を算出することができる。これにより、ろ過工程１サイクルあたりの許容膜間差圧上昇値［ｋＰａ］を定めれば、原水ＳＳ濃度に対して許容膜間差圧上昇に至る時間を算出できる。この時間をろ過工程のろ過時間とし、このろ過時間の経過後に気体洗浄を行えばよい。
【００４１】
ろ過工程１サイクルあたりの許容膜間差圧上昇値［ｋＰａ］は、膜モジュールや配管等の許容圧力等に基づいて決めてもよいし、膜ろ過用のポンプの仕様等に基づいて決めてもよく、特に制限はない。許容膜間差圧上昇値は、例えば、２５ｋＰａ以下に設定すればよい。許容膜間差圧上昇値が２５ｋＰａよりも高いと、膜面に堆積した懸濁物質が圧密されて気体洗浄での剥離効果が低減する場合がある。許容膜間差圧上昇値は、２０ｋＰａ以下に設定することがより好ましく、１０ｋＰａ以下に設定することがさらに好ましい。原水に含まれる濁度成分が、圧縮性が高い成分の場合は、許容膜間差圧上昇値を低めの値、例えば１０ｋＰａ〜２５ｋＰａの範囲に設定し、圧縮性が低い成分の場合は、高めの値、例えば２５ｋＰａ〜５０ｋＰａの範囲に設定してもよい。圧縮性が低い成分においても、例えば、１０ｋＰａ〜２５ｋＰａの範囲に設定してもよいが、気体洗浄の回数が多くなり、非効率となる場合がある。
【００４２】
このように、気体洗浄を行うタイミング、すなわちろ過工程のろ過時間を、被処理水について予め求めた膜間差圧上昇速度と、予め決めた、ろ過工程における許容膜間差圧上昇値とに基づいて決定することができる。
【００４３】
気体洗浄を行うタイミング、すなわちろ過工程のろ過時間を、さらに、原水濁度、色度、ＳＳのいずれかまたは組み合わせに基づいて決定してもよい。
【００４４】
原水濁度が５０度未満の原水（以下、「通常原水」と呼ぶ場合がある）に対して、ろ過時間を短くすると気体洗浄が頻繁に行われるため、気体使用量が増加する。これにより、コンプレッサやブロワ等のランニングコストの増加を招く。一方で、ろ過時間を長くすると、膜表面に堆積した懸濁物質等が気体洗浄によって除去されにくくなる。
【００４５】
高濁度原水の場合は、濁度が上昇するにしたがって安定運転するためのろ過時間は短くなっていく。そのため、ろ過時間は一定ではなく原水水質に応じて制御されることが好ましい。
【００４６】
原水水質は、原水濁度、色度、ＳＳのいずれかまたは組み合わせが挙げられるが、オンライン監視が容易である原水濁度によって決定することが好ましい。
【００４７】
気体洗浄工程の後はろ過工程に戻ればよいが、膜モジュール５６内から気体を追い出すためのフラッシングやドレン、満水等の工程を気体洗浄工程に含めてもよい。
【００４８】
フラッシングは、例えば、凝集処理水配管７２を通して原水等を膜モジュール５６の一次側に供給し、上部排水管８８を通して排出することにより行えばよい。満水工程は、例えば、凝集処理水配管７２を通して原水等を膜モジュール５６の一次側に供給することにより行えばよい。
【００４９】
コンプレッサ６０により空気等の気体が気体供給配管８０、気体供給配管９０、上部排水管８８を通して膜モジュール５６の一次側上部排水口から供給されることによる、膜モジュール５６の上部からの気体押し出しによるドレンと、下部の一次側気体入口から供給される気体による気体洗浄とがそれぞれ行われてもよい。この場合、例えば、ろ過工程→気体洗浄工程（気体洗浄→ドレン→気体洗浄＋フラッシング→満水）の順序で行えばよい。
【００５０】
気体洗浄工程の前に膜モジュール５６の一次側の水を排出し、処理水または原水等を導入した後に気体洗浄を行ってもよく、原水を導入しながら気体洗浄を行ってもよいが、回収率が低下するため、処理水または原水等を導入せずに気体洗浄を行ってもよい。
【００５１】
膜モジュール５６の一次側に水がないと気体洗浄の効果が低下する場合には、一次側を水で満たすために処理水または原水等を導入した後に気体洗浄を行ってもよい。この際の処理水または原水等の使用量は、膜モジュール１本あたりにつき、膜モジュール５６の一次側の体積の１〜１．５倍の範囲が好ましい。
【００５２】
気体洗浄工程の後には、膜表面から除去された懸濁物質等を含む一次側の水を排出すればよい。膜モジュール５６の一次側下部排水口から下部排水管８６を通して一次側の水を排水してもよいし、原水等を膜モジュール５６の一次側に供給して一次側上部排水口から上部排水管８８を通して一次側の水を排水してもよい。また、処理水槽５８中の処理水をポンプ６６によって逆洗水配管７８、ろ過処理水配管７４を通して膜モジュール５６の二次側から一次側に供給して一次側の水を押し出して一次側下部排水口から下部排水管８６を通して、または一次側上部排水口から上部排水管８８を通して一次側の水を排出してもよい。
【００５３】
膜モジュール５６の一次側下部排水口から下部排水管８６を通して排水する場合、膜表面から除去された懸濁物質等が膜に捕捉される場合があり、処理水を使用して排出する場合は回収率が低下する場合があるため、原水等を膜モジュール５６の一次側に供給して排出することが好ましい。
【００５４】
ろ過工程および気体洗浄工程のサイクルを複数回行い、次のろ過工程の後、逆洗を行ってもよい。逆洗は、処理水槽５８中の処理水を逆洗水としてポンプ６６によって逆洗水配管７８、ろ過処理水配管７４を通して膜モジュール５６の二次側に供給することによって行われる（逆洗工程）。
【００５５】
膜の洗浄はろ過工程および気体洗浄工程のサイクル（第１のサイクル）を複数回行うが、原水の水質等によっては気体洗浄では除去が困難な懸濁物質等により膜間差圧が上昇する場合がある。よって、第１のサイクルを複数回行い、次のろ過工程の後で、逆洗工程を行うサイクル（第２のサイクル）を１回行う（（ろ過工程→気体洗浄工程）×ｎ回（ｎは２以上）→ろ過工程→逆洗工程）。これにより、気体洗浄では除去が困難な懸濁物質等を除去することができる。
【００５６】
逆洗工程において、逆洗と、例えば、気体洗浄、気体同時逆洗、ドレン、フラッシング、気体同時フラッシング等を組み合わせてもよい。例えば、現状の実験結果で最適な逆洗工程とされているのは、ろ過工程→気体洗浄→気体同時逆洗→逆洗→気体同時フラッシング→フラッシングの順序での組み合わせである。この順序での組み合わせにおいて、気体洗浄を行わないと、洗浄効果が低下する場合があり、また、フラッシングを行わないと、洗浄効果が低下する場合がある。
【００５７】
気体同時逆洗は、コンプレッサ６０からの空気等の気体を膜モジュール５６の一次側気体入口から供給するとともに、逆洗を行う工程である。気体同時逆洗は、例えば、ポンプ６６によって逆洗水配管７８、ろ過処理水配管７４を通して処理水を膜モジュール５６の二次側から一次側に導入するとともに、コンプレッサ６０により気体供給配管８０を通して膜モジュール５６の一次側気体入口から気体を供給し、上部排水管８８または下部排水管８６から排出すればよい。気体同時フラッシングは、コンプレッサ６０からの空気等の気体を膜モジュール５６の一次側気体入口から供給するとともに、フラッシングを行う工程である。気体同時フラッシングは、例えば、ポンプ６４により凝集処理水配管７２を通して原水等を膜モジュール５６の一次側に導入するとともに、コンプレッサ６０により気体供給配管８０を通して膜モジュール５６の一次側気体入口から気体を供給し、上部排水管８８から排出すればよい。
【００５８】
外圧式中空糸膜モジュールの洗浄方法において、気体洗浄のみで懸濁物質等を大部分除去し、気体洗浄では除去し切れない懸濁物質等に対しては逆洗工程を行うことで、回収率の向上と安定運転とを同時に成し遂げることができる。
【００５９】
外圧式中空糸膜モジュールの一般的な逆洗間隔は、３０分〜２時間程度であるが、例えば、原水濁度が５０度以上のような高濁度の原水では、逆洗間隔は短くなる。しかし、気体洗浄工程（第１のサイクル）を複数回行うことで、高濁度の原水に対しても逆洗間隔を一般的な逆洗間隔（３０分〜２時間）程度とすることができる。また、原水の濁度によっては、逆洗間隔を一般的な逆洗間隔よりも延ばすこともできる。
【００６０】
逆洗工程を行う判断、すわなち、逆洗を行うタイミングを、ろ過工程におけるろ過時間の合計に基づいて決定してもよい。この場合、ろ過時間の合計が予め定めた時間を超えた場合に、逆洗工程を行えばよい。ろ過時間の合計に基づく決定の場合は、一定の周期ごとに逆洗工程を行うため、原水水質によらず回収率を一定に保つことができる。
【００６１】
逆洗工程を行う判断、すわなち、逆洗を行うタイミングを、ろ過工程における膜間差圧に基づいて決定してもよい。膜間差圧は、絶対値（気体洗浄後の膜間差圧）を使用してもよいし、ろ過工程中に上昇した値（上昇値）を使用してもよい。膜間差圧の絶対値は逆洗によっても除去されない有機物や金属等の膜の閉塞物質により上昇するため、ろ過工程中の上昇値を使用することが好ましい。ここで、ろ過工程中の上昇値とは、気体洗浄工程または逆洗工程の後にろ過が再開された際の膜間差圧と現在値との差である。
【００６２】
判断に用いる上昇値の設定値は、例えば、逆洗工程において、逆洗の前に気体洗浄を行う場合、気体洗浄後の膜間差圧が、所定の許容膜間差圧（例えば、２５ｋＰａ）以上とすることができる。
【００６３】
逆洗工程を行う判断は、上記ろ過時間の合計と、ろ過工程における膜間差圧とを組み合わせて行ってもよい。
【００６４】
図１では、膜モジュール５６でのろ過工程の前に、凝集槽５４において被処理水に凝集剤を添加する凝集処理を行っているが、凝集処理は行っても、行わなくてもよい。
【００６５】
凝集処理を行うと、膜モジュール５６における膜の細孔内部に吸着して目詰まりの原因になるような有機物等を膜の表面で捕捉することができるようになる。膜の表面に捕捉されているものであれば、気体洗浄または逆洗により除去することができる。高濁度原水に対して、凝集処理を行わない場合、気体洗浄での洗浄効果が低減する場合がある。
【００６６】
凝集剤としては、例えば、ポリ塩化アルミニウム（ＰＡＣ）、塩化鉄、硫酸バンド、ポリシリカ鉄等が挙げられ、浄水場で広く使われているポリ塩化アルミニウム（ＰＡＣ）が好ましい。
【００６７】
凝集剤の添加量は、ジャーテストで決定することができる。凝集剤の添加量が少なすぎると、凝集不良を起こし膜の閉塞を招く場合がある。凝集剤を過剰に注入すると、汚泥量が増加し、排水処理コストがかさむ場合がある。
【００６８】
膜モジュール５６でのろ過工程の前に、被処理水に酸化剤を添加する酸化処理を行ってもよい。酸化処理を行うと、膜モジュール５６における膜の細孔内部に吸着して目詰まりの原因になるような金属等を膜の表面で捕捉することができるようになる。膜の表面に捕捉されているものであれば、気体洗浄または逆洗により除去することができる。
【００６９】
酸化剤としては、例えば、次亜塩素酸ナトリウム、塩素酸等が挙げられ、浄水場で広く使われており、酸化力も強いことから、次亜塩素酸ナトリウムの使用が好ましい。
【００７０】
酸化剤の添加量は、原水のＳＳ成分やアンモニア等によって添加量が変わるため、例えば、残留塩素濃度で管理するのが好ましい。残留塩素濃度は膜モジュール５６の出口で例えば０．１〜０．５ｍｇ／Ｌとなるように酸化剤を添加するのが好ましい。
【実施例】
【００７１】
以下、実施例および比較例を挙げ、本発明をより具体的に詳細に説明するが、本発明は、以下の実施例に限定されるものではない。
【００７２】
図２に実施例および比較例で用いた実験装置の概略構成図を示す。原水槽１０にはろ過水と、ベントナイト貯槽１３からポンプ１６により懸濁物質としてベントナイトを供給し、所定の原水濁度になるよう高濁度模擬原水を調製した。原水槽１０およびベントナイト貯槽１３には、撹拌装置２１，２０をそれぞれ設置した。高濁度模擬原水は、ポンプ１７によって凝集槽１１と原水濁度計へ供給した。凝集槽１１には、凝集剤貯槽１５からポンプ１９により凝集剤としてポリ塩化アルミニウム（ＰＡＣ）を添加し、撹拌装置２２により８５ｒｐｍ（Ｇ値（撹拌強度の指標）＝１５０／ｓ）で急速撹拌を行った。また、凝集槽１１にはｐＨセンサ２４を設置し、ｐＨ調整剤貯槽１４からポンプ１８によりｐＨ調整剤を添加して、ベントナイトによってｐＨが７を超えないように凝集ｐＨを調整した。
【００７３】
凝集槽１１の凝集処理水は、ポンプ８によって膜モジュール３０に供給した。膜モジュール３０の一次側上部および一次側下部にはコンプレッサ２３からの空気供給ラインを接続し、気体洗浄工程において、膜モジュール３０の一次側上部から供給する空気押し出しによるドレンと、一次側下部から供給するエアスクラビングとをそれぞれ行った。処理水はろ過水弁２を開き、処理水槽１２に貯留し、逆洗は、ポンプ９により処理水を逆洗水として膜の二次側から供給して行った。
【００７４】
膜モジュール３０における中空糸膜としては、ポリフッ化ビニリデン（ＰＶＤＦ）製の外圧式加圧型ＵＦ膜を用いた。中空糸膜の孔径は、０．０１μｍ、膜面積は、４ｍ２のものを用いた。
【００７５】
＜実験１：高濁試験２４時間＞
［比較例１（従来法）］
図３に比較例１の実験結果を示す。比較例１では、濁度が５００度である高濁度模擬水を８時間通水後、１００度の高濁度模擬水を１６時間通水した。所定のろ過時間経過後、空気洗浄、ドレン、上排水逆洗、下排水逆洗、フラッシングの順の逆洗工程を実施した。図３において、差圧が回復している時点で逆洗工程を実施している。
【００７６】
空気洗浄は、図２の下部空気弁７と上部排水弁３を開き、コンプレッサ２３から加圧空気を供給して行った。ドレンは、上部空気弁６と下部排水弁４を開き、加圧空気により膜モジュール３０の一次側の水を排水した。上排水逆洗は、逆洗入口弁５と上部排水弁３を開き、ポンプ９により処理水を膜の二次側から一次側へ供給し、上部排水弁３を通じて排出した。下排水逆洗は、逆洗入口弁５と下部排水弁４を開き、ポンプ９により処理水を膜の二次側から一次側へ供給し、下部排水弁４を通じて排出した。フラッシングは、供給水弁１と上部排水弁３を開き、ポンプ１７により原水を膜モジュール３０の一次側に供給し、上部排水弁３を通じて排出した。
【００７７】
ろ過フラックスが２．０ｍ／ｄで通水時には、膜間差圧がろ過工程中に最大で１００ｋＰａまで増加し、安定運転できていないとみなした。１．２ｍ／ｄにろ過フラックスを下げたところ、膜間差圧の最大値は８０ｋＰａであった。濁度１００度の高濁度模擬水に対しては、２ｍ／ｄで安定運転ができた。
【００７８】
［実施例１］
図４に実施例１の通水結果を示し、図５に拡大図を示す。比較例１と同様に濁度が５００度である高濁度模擬水を８時間通水後、１００度の高濁度模擬水を１６時間通水した。表１に運転条件を示す。濁度に応じてろ過時間を変え、５００度に対しては５分、１００度に対しては１０，２０，３０分のろ過時間で実験を行った。逆洗工程に入る判断は、ろ過時間の積算値にて制御し、６０，９０，１２０分に設定した。ろ過フラックスは実験中２ｍ／ｄに設定した。回収率と稼働率を加味したＮｅｔＦｌｕｘを表１に合わせて記載した。
【００７９】
【表１】
0006616593.tif 000002
【００８０】
空気洗浄（ＡＳ）運転ろ過時間が５分、逆洗頻度が６０分の場合、「ろ過５分、空気洗浄工程」をサイクルＡとすると、サイクルＡを１１回繰り返した後に、ろ過５分を経て積算ろ過時間が６０分になるため、逆洗工程に入る。空気洗浄工程は、空気洗浄、ドレン、フラッシングの順で行った。空気洗浄は、図２の下部空気弁７と上部排水弁３を開き、コンプレッサ２３から加圧空気を膜モジュール３０の一次側に導入した。これにより、膜が揺れて膜表面の懸濁物質が剥離した。ドレンは、上部空気弁６と下部排水弁４を開き、コンプレッサ２３から加圧空気を膜モジュール３０の一次側に導入した。これにより、懸濁物質を含む水が排出された。フラッシングは、供給水弁１と上部排水弁３を開き、ポンプ１７により原水を膜モジュール３０の一次側に導入した。
【００８１】
逆洗工程は、空気洗浄、空気同時逆洗、下排水逆洗、空気同時フラッシング、フラッシングの順で行った。空気洗浄は、図２の下部空気弁７と上部排水弁３を開き、コンプレッサ２３から加圧空気を膜モジュール３０の一次側に導入した。空気同時逆洗は、下部空気弁７と逆洗入口弁５と上部排水弁３を開き、ポンプ９により処理水を膜モジュール３０の二次側から一次側に導入されるとともに、膜モジュール３０の一次側の下部から加圧空気を導入した。下排水逆洗は、逆洗入口弁５と下部排水弁４を開き、ポンプ９により処理水を膜の二次側から一次側へ供給し、下部排水弁４を通じて排出した。空気同時フラッシングは、下部空気弁７と上部排水弁３と供給水弁１を開き、ポンプ１７により原水を膜モジュール３０の一次側に導入するとともに、膜モジュール３０の一次側の下部から加圧空気を導入した。フラッシングは、供給水弁１と上部排水弁３を開き、ポンプ１７により原水を膜モジュール３０の一次側に供給し、上部排水弁３を通じて排出した。
【００８２】
表２に比較例１と実施例１の結果を示す。ＮｅｔＦｌｕｘはろ過Ｆｌｕｘ×回収率×稼働率から計算した。実施例１では、比較例１と比べて回収率、ＮｅｔＦｌｕｘ共に改善された。これは、実施例１において、ろ過時間を短くして空気洗浄を行うことで、膜表面の懸濁物質が圧密される前に剥離することができたためと推測される。
【００８３】
【表２】
0006616593.tif 000003
【００８４】
＜実験２（濁度１００度）＞
図６に実施例２として、濁度１００度（ＳＳ：４００ｍｇ／Ｌ）での通水結果を、表３に運転工程を示す。濁度１００度に対してＮｅｔＦｌｕｘ１．７９ｍ／ｄ、回収率９６．６%で運転した。空気洗浄により膜間差圧が９割程度回復し、逆洗により初期圧近傍にまで回復することを確認することができた。
【００８５】
【表３】
0006616593.tif 000004
【００８６】
＜実験３（濁度３００度）＞
図７に実施例３の実験結果を、表４に運転工程を示す。濁度３００度に対して、ＮｅｔＦｌｕｘ１．５８ｍ／ｄ、回収率９３．３%で運転した。実施例２と同様に、空気洗浄で膜間差圧を所定量回復させ、差圧上昇を抑制できることが確認された。これに加えて、６０ｍｉｎに一度逆洗を行うことで安定運転を行うことができた。ろ過時間１０分間の差圧上昇は１５ｋＰａ程度であった。
【００８７】
【表４】
0006616593.tif 000005
【００８８】
＜実験４（凝集剤有無の比較）＞
図８に実験４の結果を示す。実験４では凝集剤の有無の影響を比較した。濁度４００〜５００（ＳＳ：８００〜１０００ｍｇ／Ｌ）度に対して、比較例４−１では凝集剤を添加しなかった。この場合は空気洗浄での回復性が悪く、差圧が上昇した。一方で、実施例４−１，４−２，４−３では、凝集剤の添加により、差圧の上昇が抑制できることを確認することができた。
【００８９】
［ろ過時間の決め方］
懸濁物質（ＳＳ成分）等を含む原水のろ過、特に例えば濁度が５０度以上の高濁度の原水のろ過はＳＳが高いため、膜の細孔内部のファウリングと比較してケーキろ過が支配的となる。ここで、ろ過抵抗は膜面のケーキを形成するＳＳ量に比例する。つまり、膜面に形成されたケーキのろ過抵抗は、下記式（＊１）で示したとおり、比抵抗α、被処理水の粘度、膜面の単位面積あたりのケーキ量およびろ過流束の積で表すことができる。
ケーキのろ過抵抗［Ｐａ］＝比抵抗α［ｍ／ｇ］×被処理水の粘度［Ｐａ・ｓ］×単位面積あたりのケーキ量［ｇ／ｍ２］×ろ過流束［ｍ／ｓ］・・・（＊１）
【００９０】
ここで、比抵抗αは、被処理水が膜面に形成されたケーキを通過する際の、単位ケーキ量あたりの抵抗である。また、単位面積あたりのケーキ量は、下記式（＊２）で示したとおり、被処理水のＳＳ濃度と流量と時間の積を膜面積で除することで算出することができる。
単位面積あたりのケーキ量［ｇ／ｍ２］＝被処理水のＳＳ濃度［ｇ／ｍ３］×流量［ｍ３／ｓ］×時間［ｓ］／膜面積［ｍ２］・・・（＊２）
【００９１】
上記式（＊１）と上記式（＊２）とから、式（＊３）を得ることができる。
膜間差圧上昇速度＝ケーキのろ過抵抗［Ｐａ］／時間［ｓ］＝比抵抗α［ｍ／ｇ］×被処理水の粘度［Ｐａ・ｓ］×被処理水のＳＳ濃度［ｇ／ｍ３］×（被処理水のろ過流束）２［ｍ２／ｓ２］・・・（＊３）
【００９２】
すなわち、比抵抗αがわかれば、膜間差圧上昇速度を求めることができ、上述のとおり、予め設定した許容膜間差圧上昇値とによりろ過時間を算出することができる。
【００９３】
実験１〜３の結果により、式（＊３）を用いて比抵抗αを算出したところ、α＝６．８×１０１３[ｍ／ｋｇ]であった。この値を用いて、ろ過流速を決めれば、原水ＳＳに対して膜間差圧上昇速度が式（＊３）より算出することができる。なお、今回αは実験機（膜ろ過モジュールを用いた現場試験）の結果から算出したが、実験機を用いなくても、ラボで算出してもよい。（定圧ろ過試験等）
【００９４】
これより、ろ過工程１サイクルあたりに許容される膜間差圧の上昇値（許容膜間差圧上昇値［ｋＰａ］）を定めれば、原水ＳＳ濃度に対して許容膜間差圧上昇に至る時間を算出できる。この時間を空気洗浄（ＡＳ）運転時のろ過時間とする。
空気洗浄運転時のろ過時間［ｍｉｎ］＝許容膜間差圧上昇値［ｋＰａ］／膜間差圧上昇速度[ｋＰａ／ｍｉｎ]・・・（＊５）
【００９５】
次に、逆洗頻度を定めれば、上式により算出した空気洗浄運転時のろ過時間から稼働率を算出できる。また、ろ過流量とろ過時間、逆洗頻度から回収率を算出できる。
【００９６】
図９に原水ＳＳ濃度と空気洗浄運転時のろ過時間と回収率の関係を示す。表５に計算条件を示す。図９より、原水ＳＳがわかれば空気洗浄運転時のろ過時間を算出することができる。
【００９７】
【表５】
0006616593.tif 000006
【００９８】
［実機での運転について］
（ａ）実機では原水濁度を測定することが多いが、濁度成分の性状によっては濁度／ＳＳ比は異なる。原水をサンプリングして濁度とＳＳを測定する。
（濁度／ＳＳ比）［度／（ｍｇ／Ｌ）］＝原水濁度［度］／原水ＳＳ濃度［ｍｇ／Ｌ］
→原水ＳＳ濃度［ｍｇ／Ｌ］＝原水濁度［度］／（濁度／ＳＳ比）［度／（ｍｇ／Ｌ）］
【００９９】
よって、
流入ＳＳ量＝流量［Ｌ／ｍｉｎ］×原水濁度［度］／（濁度／ＳＳ比）［度／（ｍｇ／Ｌ）］・・・（＊６）
【０１００】
（ｂ）比抵抗は実機に通水して、測定することもできるが、ラボ試験で簡易的に測定することができる。定圧ろ過試験を行い、ろ過速度の経時変化を測定する。単位膜面積あたりのろ過速度［ｍ３／ｍ２／ｓ］の逆数［ｓ／ｍ］を単位膜面積あたりのろ液量［ｍ３／ｍ２］に対してプロットする。Ｒｕｔｈのろ過式より、プロットした傾きからケーキのろ過比抵抗α［ｍ／ｍｇ］を算出することができる。
【０１０１】
（ｃ）式（＊３）より、原水濁度に応じて膜間差圧上昇速度を算出することができる。これにより、ろ過工程１サイクルあたりの許容膜間差圧上昇値［ｋＰａ］を定めれば、原水ＳＳ濃度に対して許容膜間差圧上昇に至る時間を算出できる。この時間をろ過工程のろ過時間とし、このろ過時間の経過後に気体洗浄を行えばよい。
【０１０２】
［実験５］
実験１〜３で用いたベントナイトＡとは濁度／ＳＳ比が異なるベントナイトＢを用いて、濁度５００度（ＳＳ：１０００ｍｇ／Ｌ）の通水試験を行った。ベントナイトＢの濁度／ＳＳ比は２であった。比抵抗は同じベントナイトであるからベントナイトＡと同じ６．８×１０１３ｍ／ｋｇとした。許容膜間差圧上昇値は１０ｋＰａとした。この条件での原水ＳＳと空気洗浄（ＡＳ）運転時ろ過時間と回収率の関係（２．０ｍ／ｄ）を図１０に示す。実験５では原水ＳＳが１０００ｍｇ／Ｌであるから、図１０よりろ過時間を５分に設定した。図１１に通水結果を示す。１サイクルあたりの差圧上昇は想定した１０ｋＰａ程度であり、安定的に運転できることが確認できた。これにより、本手法の有効性が示された。
【０１０３】
［実験６］
ベントナイトＢによる高濁度模擬水を用いて、濁度７００度（ＳＳ：１４００ｍｇ／Ｌ）で通水試験を行った。許容膜間差圧上昇値が２０ｋＰａでの、原水ＳＳと空気洗浄（ＡＳ）運転時ろ過時間の関係を図１２に示す。許容膜間差圧上昇値を２０ｋＰａに設定し、ＳＳ１４００ｍｇ／Ｌに対するろ過時間を７．５分とした。通水結果を図１３に示す。想定した１サイクルあたりの差圧上昇は２０ｋＰａであるが、実際には３０ｋＰａ程度差圧上昇が確認された。これは、懸濁物質が膜面上に堆積し、圧密されたためであると考えられる。一方で、空気洗浄により急激な差圧上昇を抑制でき、さらに逆洗を行うことにより初期近傍の圧力まで回復できることが確認された。
【０１０４】
表６に、実施例１の運転条件と結果をまとめる。許容膜間差圧上昇値は、実験条件の原水ＳＳに対する空気洗浄（ＡＳ）運転ろ過時間から計算される差圧上昇値を示した。例えば、原水ＳＳ２０００ｍｇ／Ｌ（２ｋｇ／ｍ３）に対して、２ｍ/ｄ（２．３×１０−５ｍ／ｓ）で５分運転した場合、式（＊３）より、ケーキ抵抗［Ｐａ］＝６．８×１０１３[ｍ／ｋｇ]×０．０００８９２[Ｐａ・ｓ]×２[ｋｇ／ｍ３]×５×６０[ｓ]×（２．３×１０−５）２[ｍ２／ｓ２]≒２０ｋＰａとなる。空気洗浄回復性は、逆洗間における空気洗浄後の差圧をプロットし、この傾きが５ｋＰａ／ｈ以下を◎、５〜１０ｋＰａ／ｈを○、１０ｋＰａ／ｈ以上を△と示した。逆洗回復性は逆洗後の差圧が初期圧に対して+５ｋＰａ以下である場合に○とした。
【０１０５】
【表６】
0006616593.tif 000007
【０１０６】
これより、許容膜間差圧上昇と空気洗浄回復性の結果から、２５ｋＰａ以下の範囲において安定運転できることが確認できた。より好ましくは、２０ｋＰａ未満に設定し、さらに好ましくは１０ｋＰａ以下に設定することにより、安定的に運転できた。
【０１０７】
このように、外圧式中空糸膜モジュールを用いるろ過処理において、被処理水について予め求めた膜間差圧上昇速度と、ろ過工程における許容膜間差圧上昇値とに基づいて決定したタイミングで気体洗浄を行うことにより、処理水の回収率の低下を抑制するとともに、安定運転を行うことができた。
【符号の説明】
【０１０８】
１  供給水弁、２  ろ過水弁、３  上部排水弁、４  下部排水弁、５  逆洗入口弁、６  上部空気弁、７  下部空気弁、８，９，１６，１７，１８，１９，６２，６４，６６  ポンプ、１０，５２  原水槽、１１，５４  凝集槽、１２，５８  処理水槽、１３  ベントナイト貯槽、１４  ｐＨ調整剤貯槽、１５  凝集剤貯槽、２０，２１，２２  撹拌装置、２３，６０  コンプレッサ、２４  ｐＨセンサ、３０，５６  膜モジュール、５０  ろ過処理装置、６８  原水配管、７０  原水供給配管、７２  凝集処理水配管、７４  ろ過処理水配管、７６  処理水配管、７８  逆洗水配管、８０，９０  気体供給配管、８２  凝集剤供給配管、８４  ｐＨ調整剤供給配管、８６  下部排水管、８８  上部排水管。
【図１】
0006616593.tif 000008
【図２】
0006616593.tif 000009
【図３】
0006616593.tif 000010
【図４】
0006616593.tif 000011
【図５】
0006616593.tif 000012
【図６】
0006616593.tif 000013
【図７】
0006616593.tif 000014
【図８】
0006616593.tif 000015
【図９】
0006616593.tif 000016
【図１０】
0006616593.tif 000017
【図１１】
0006616593.tif 000018
【図１２】
0006616593.tif 000019
【図１３】
0006616593.tif 000020